(57)【要約】【目的】形成具の１端部の絵シール付着面部にはあらかじめ吸収したアワシャボン玉液により、適宜な大きさの薄いポリプロピレンのフィルムに例えばキャラクターの絵などを印刷した絵シールを付着させ、形成具の吹き口より空気を吹き込むと、絵シール付きシャボン玉が形成されるのである。したがって空中に飛ばしたり、又は絵シールを絵シール付着面で捕捉して破裂するまで遊ぶことが可能である、なお落下した絵シールは何度でも使用できる、このことは実験で確認ずみである。【構成】形成具４の端部には吹き口、片方には絵シール付着面５を設け内輪６及び空気の通り道である空気口６′液たまり溝７を形成する、さらに防風円板９を設けた。絵シール２は適宜な大きさの薄いポリプロピレンのフィルムにキャラクター３を印刷した。さらにケース１３には微細構造のシャボン玉液スポンジ１２を収納してシャボン玉液８を吸収させる。そしてスポンジ台１１にはスポンジ１０を設けてその上には絵シール２を置く、以上の如くの構成である。【選択図】    図１
2004329840.tif 000002
【特許請求の範囲】
【請求項１】
絵シールをシャボン玉にくっつけて浮遊さすことを特徴とする、絵シール付きシャボン玉。
【請求項２】
形成具において絵シールを付着保持する、絵シール付着面及びアワシャボン玉液の保持を補助する内輪、請求項１記載の絵シール付きシャボン玉の形成具
。
【請求項３】
液の滴下を防ぐ小さなアワを無数に含んだアワシャボン玉液を作る作用の、微細な繊維状で弾性及び無数の空洞に空気を含む微細構造のシャボン玉液スポンジ、請求項１記載の絵シール付きシャボン玉の補助具。
【発明の詳細な説明】
【０００１】
【発明の属する技術分野】
この発明は子供達の遊びのひとつであるシャボン玉造りと形成具と補助具に関するものである。
【０００２】
【従来の技術】
従来のシャボン玉造りと形成具はシャボン玉液をふくらませて空中に飛ばすだけのものであった。
【０００３】
【発明が解決しようとする課題】
したがって何の変化もなく遊びの工夫も必要としないため、シャボン玉造りに子供達は楽しさがないのが現状である、そこで本発明は子供達の興味のある、色々なキャラクターや絵などを印刷又は書いた絵シールをシャボン玉にくっつけて工夫しながら空中に飛ばしたり、捕捉して遊ぶことができる、絵シール付きシャボン玉とこれを形成するための形成具や補助具である。
【０００４】
【課題を解決するための手段】
図１に示すように、シャボン玉１、絵シール２、キャラクター３からなる、絵シール付きシャボン玉を形成するには次のような手段を用いた。
【０００５】
周知の通り従来の形成具４には、吹き口の近くに適宜な空気の出入り口などが設けている、これは誤って液を飲み込まないためである、さて、テーパー管状の形成具４の端面には吹き口を片方には絵シール付着面５を形成して、内輪６を装着し適宜な空気口６′の空気の通り道を設けて毛細管作用を補助した液たまり溝７を形成する、さらに吹き口から外部にもれる空気をさえぎる防風円板９を設けた、これは絵シール２やシャボン玉１に影響を与えないためと、誤って口内を傷つけないためである。
【０００６】
ケース１３には、例えばメラミン樹脂の微細な繊維状のスポンジによる、微細構造のシャボン玉液スポンジ１２を適宜な厚みにして収納、市販されているシャボン玉液８を適宜な量を吸収させる。
【０００７】
絵シール２の形状は自由で適宜な大きさで、水を吸わない軽くて薄い透明なポリプロピレンのフィルムにキャラクター３を印刷するか書いても良い、又キャラクター３のかわりに絵など自由である、ポリプロピレンのかわりに他の適宜な樹脂のフィルムや防水加工した紙なども使用可能である。
【０００８】
さらにスポンジ台１１濡れてもくっつかないスポンジ１０を設けてその上に絵
シール２を置くようにした。
【０００９】
形成具４の絵シール付着面５をシャボン玉液スポンジ１２に軽く押し付けた時、シャボン玉液スポンジ１２の作用で小さなアワが無数に発生する、すなわちアワシャボン玉液８′となり、強い毛細管現象で液たまり溝７に吸収させる。
【００１０】
さらにスポンジ１０の上に絵シール２を置いて、形成具４の絵シール付着面５を接触させると付着して落下しない。
【００１１】
そして周知の通り人の口で吹き口より空気を適宜に送り込むと、前記の吹き口近くの空気の出入り口より空気のもれが起きるがさしつかえなく、空気圧で絵シール２は離れてシャボン玉１はふくらみ、絵シール付きシャボン玉が形成されるのである、以上述べてきた如くである。
【００１２】
【作用】
微細構造のスポンジは特有の微細な繊維状で弾性及び無数の空洞に空気を含みこの特性を応用した、シャボン玉液スポンジ１２はシャボン玉液８を毛細管現象で吸収したものである、すなわちこの時点ではシャボン玉液８はアワを含んでいないのである。
【００１３】
前記のシャボン玉液スポンジ１２に絵シール付着面５で軽く押さえると、前記の如く特有の構造の作用で、空気を含んだ小さな無数のアワが発生する、これを強い毛細管現象でアワシャボン玉液８′として吸収、液の滴下を起こさないのである。
【００１４】
液となじみの良い絵シール２を絵シール付着面５に付着させた時、前記のアワシャボン玉液８′は、さらに毛細管現象により付着の周辺にまで広がって、絵シール２を付着保持する。
【００１５】
したがってテーパー管状内を通る空気圧によって絵シール２は絵シール付着面５より離れる時、シャボン玉１が形成されつつ同時に重力の作用で、絵シール２は下側へと回わり込む作用が発生する、以上のような作用によりスムーズに、本発明の絵シール付きシャボン玉が形成されるのである。
【００１６】
【発明の実施の形態】
以下本発明の実施の形態を図を用いて説明すると、図１に示したシャボン玉１、絵シール２、キャラクター３よりなる、本発明の絵シール付きシャボン玉である。
【００１７】
図２に示した、絵シール２は適宜な大きさで水を吸わない、水よりも軽くて薄い取り扱いやすい適度な硬さと、アワシャボン玉液８′となじみが良いポリプロピレンのフィルムを使用して、キャラクター３を印刷したものである。
【００１８】
図３に示す、前記の形成具４はテーパー管状であって適宜な付着平面積を有した、絵シール付着面５を形成するとともに多数の液たまり溝７に強い毛細管現象を発生さすために、内輪６を装着して適宜な空気の通り道である空気口６′を形成して、これらの作用でアワシャボン玉液８′の滴下を防ぐのである。
【００１９】
図５に示す、ケース１３には一般に市販されている、シャボン玉液８を吸収した前記の微細構造のシャボン玉液スポンジ１２に、手に持ち直立した形成具４の絵シール付着面５を軽く押し付けると、シャボン玉液スポンジ１２の作用により、小さなアワを無数に含んだ、アワシャボン玉液８′が発生する、さらに液たまり溝７の強い毛細管現象により吸収されるため滴下を防ぐ作用がある。
【００２０】
したがって手に持ち直立した、前記の形成具４の絵シール付着面５を図４に示した、スポンジ台１１に適宜な弾性のスポンジ１０の上に置いた、絵シール２の中ほどに接触させると付着、絵シール付着面５のスキマその周囲内外面に、アワシャボン玉液８′が毛細管現象によりいきわたり、絵シール２は強く付着してどのような姿勢においても落下することはないのである。
【００２１】
ここにおいて前記のスポンジ１０は接触面が少ないため濡れても絵シール２がくっつかない。
【００２２】
そこで吹き口を口にくわえゆっくりと吹くと、この時外部にもれた空気は防風円板９によってさえぎるため、絵シール２やシャボン玉１の形成に影響を与えない、したがって形成具４のテーパー管状内を流れる空気圧によって、絵シール付着面５に付着した絵シール２は離れる時、シャボン玉１が形成されつつ同時に重力の作用で、絵シール２は下側へと回わり込む作用が発生しながらふくらみつづけて、本発明の絵シール付きシャボン玉が形成されるのである、液のある間は何回も使用できる、又アワのないシャボン玉液８でも形成することもできる。
【００２３】
そこで吹き離したり形成具４を持って静かに振ると、絵シール付きシャボン玉は離れて空中に飛んだり、浮遊さすこともできるのである、また絵シール２を付着させずにふくらますと普通のシャボン玉が形成できる。
【００２４】
又絵シール２についてはキャラクター３の変わりにさまざまな絵などを工夫すれば良い、さらにポリプロピレンのかわりに他の適宜な樹脂のフィルムや防水加工した紙などを利用することもできる。
【００２５】
なお絵シール付きシャボン玉が破裂すると、絵シール２は落下するため回収して何度でも使用することができる。
【００２６】
【発明の効果】
以上述べてきた如く、本発明では小さなアワを無数に含んだアワシャボン玉液８′であるため、絵シール付着面５より流れて滴下することがなく、絵シール２の付着が安定してシャボン玉１の形成がスムーズになり、絵シール付きシャボン玉を形成する効果がある。
【００２７】
又実験によれば、シャボン玉液スポンジ１２がなく直接シャボン玉液８を使用すると、絵シール付着面５よりポタッポタッと液たれが発生して、絵シール２が下方向にズレて落下する、つまり安定せず液加減が必要となる欠点がある。
【００２８】
実験の結果本発明の効果として次のようなことができる、風のない所では図１０に示すように空中を浮遊している、絵シール付きシャボン玉の絵シール２を絵シール付着面５で捕捉して、くるくる回わして放出したり移動したり工夫すればいろいろな芸が破裂するまでは可能である、また落下した絵シール２は回収して何度でも使用できるのである。
【図面の簡単な説明】
【図１】絵シール付きシャボン玉図である。
【図２】キャラクターの絵の絵シール図である。
【図３】形成具の斜視図である。
【図４】絵シールを置く台の斜視図である。（絵シール図示）
【図５】シャボン玉液スポンジ及びシャボン玉液を入れたケース図である。
（２点鎖線は形成具の絵シール付着面側を示す）
【図６】スポンジ上に置いた絵シールを形成具で付着する斜視図である。
【図７】形成具の絵シール付着部の１部破断面図である。
（２点鎖線は絵シールを示す。）
【図８】形成具で絵シール付きシャボン玉を形成している図である。
（２点鎖線は人の口や手、また絵シールを示す。）
【図９】絵シール付きシャボン玉が浮遊する図である。
【図１０】形成具で捕捉して芸をする図である。
【符号の説明】
１      シャボン玉
２      絵シール
３      キャラクター
４      形成具
５      絵シール付着面
６      内輪
６′    空気口
７      液たまり溝
８      シャボン玉液
８′    アワシャボン玉液
９      防風円板
１０    スポンジ
１１    スポンジ台
１２    シャボン玉液スポンジ
１３    ケース
【図１】
2004329840.tif 000003
【図２】
2004329840.tif 000004
【図３】
2004329840.tif 000005
【図４】
2004329840.tif 000006
【図５】
2004329840.tif 000007
【図６】
2004329840.tif 000008
【図７】
2004329840.tif 000009
【図８】
2004329840.tif 000010
【図９】
2004329840.tif 000011
【図１０】
2004329840.tif 000012